(57)【要約】【課題】ディジタルネットワーク社会に対応し、個別に人物を特定、確認する情報として指紋等のバイオメトリクス認証を行う機器をより小形、多用途化する方策の一助として、構造が簡単で指紋検出部を透明にした感圧式指紋センサーを提供する。【解決手段】指紋感知部と検出回路部からなる感圧式指紋センサーにおいて、該指紋感知部を構成するフィルムと該フィルムの下面にある電極を透明部材で形成し、一方検出回路部を成す透明基板上に形成するマトリクス電極をも透明部材で配設して、透明フィルムと透明基板を積層した。【選択図】　　図１
2004138416.tif 000002
【特許請求の範囲】
【請求項１】
基板にフィルムを積層し、指を押し付けた時の圧力の強弱から指紋の紋様を検出させる指紋感知部と指紋の紋様の凹凸による圧力の違いを電位差として取り出す検出回路部からなる感圧式指紋センサーにおいて、前記フィルムを透明フィルムで形成するとともに前記基板をも透明基板とし、前記透明フィルムと前記透明基板の対向面に透明マトリックス電極を他方に透明電極層を配設して透明指紋検出部を形成したことを特徴とする感圧式指紋センサー。
【請求項２】
前記指紋感知部を構成する前記透明フィルムに色を施したことを特徴とする請求項１記載の感圧式指紋センサー。
【請求項３】
前記指紋検出部を大形化して位置検出のタッチパネルとして使用することを特徴とする請求項１記載の感圧式指紋センサー。
【発明の詳細な説明】
【０００１】
【発明の属する技術分野】
本発明は、指を押し付けた時の圧力により指紋の凹凸にかかる圧力の違いにより指紋を検出する装置であって、指紋検出部を透明に形成した感圧式指紋センサーに関する。
【０００２】
【従来の技術】
従来、この種の感圧式指紋センサーとしては、基板にフィルムを積層し、指を押し付けた時の圧力の強弱から指紋の紋様を検出させる指紋感知部と指紋の紋様の凹凸による圧力の違いを電位差として取り出す検出回路部からなる感圧式指紋センサーにおいて、ポリエステルやポリアミド等の可撓性フィルムの下面に金等の金属材料をスパッタリングすることにより電極層を形成し、該電極層に対向して薄膜制御によって検出回路部を形成したセラミックスの基板を積層して指紋検出部を形成したものであった。
【０００３】
【発明が解決しようとする課題】
しかしながら、上記のように構成されている感圧式指紋センサーは、金等の金属材料をスパッタリングすることにより電極層を形成した可撓性フイルムと該電極層に対向して成膜制御によって検出回路部を形成したセラミックスの基板を積層して指紋検出部を形成したものであることから、不透明の指紋検出部であり、機器の小形化、薄型化のためＣＲＴや液晶、有機ＥＬ等の表示画面上に配設可能な透明の指紋検出部の開発が望まれていた。
本発明は、上記問題点を解決し、構造が簡単で指紋検出部を透明にした感圧式指紋センサーを提供することを目的とする。
【０００４】
【課題を解決するための手段】
本発明は、上記問題を解決するために、基板にフィルムを積層し、指を押し付けた時の圧力の強弱から指紋の紋様を検出させる指紋感知部と指紋の紋様の凹凸による圧力の違いを電位差として取り出す検出回路部からなる感圧式指紋センサーにおいて、前記フィルムを透明フィルムで形成するとともに前記基板をも透明基板とし、前記透明フィルムと前記透明基板の対向面に透明電極層を形成し、他方に透明マトリックス電極を形成して透明フィルムの電極と透明基板の電極を対向させて貼り合わせて透明指紋検出部を構成したものである。
【０００５】
【発明の実施の形態】
本発明によれば、ＣＲＴ、液晶、有機ＥＬ等の表示画面上に配設可能な透明の指紋検出部を提供することができる。指紋検出部を大形化することで位置検出のタッチパネルとして提供することが出来る。
【０００６】
【実施例】
以下に本発明の感圧式指紋センサーの実施例について図面を参照しながら詳細に説明する。
【０００７】
図１は本発明の感圧式指紋センサーの第１実施例における部分断面図であり、上部には可撓性のフィルム材料として透明感圧シート１を配設し、該透明感圧シート１の下面には透明感圧シート透明電極２を形成し、対向する透明基板としての透明センサー本体４の上面にはセンサー本体透明電極３を形成し、透明感圧シート１と透明センサー本体４とを積層し、外側ケース５で補強して感圧式指紋センサー６を構成するため指紋検出部９が透明となり他の表示画面上に積層できる。
【０００８】
このため指紋検出部９が透明となった感圧式指紋センサー６の下にスペーサー７を設けて表示素子を組み込んだ表示装置８と積層して一体化が可能なので表示装置８が提示する文字や記号等の形体に求められる視認性を損なうことなく使用できる感圧式指紋センサーが得られる。
【０００９】
また指紋検出部９が透明となった感圧式指紋センサー６の下にスペーサー７を設け表示素子を組み込んだ表示装置８と積層して一体化が可能なので機器の小形化に貢献できる感圧式指紋センサーを提供できる。
【００１０】
図２は本発明の感圧式指紋センサーの第１実施例における正面要部断面図であり、操作部１８とスイッチ本体１６にわかれる表示機能付き押ボタンスイッチにおいて、該スイッチ本体１６に内蔵された開閉接触機構部（図示せず）と連動して上下動可能に設置された該操作部１８の内部には指紋検出部９が透明な感圧式指紋センサー６を上部に、下部にはＣＲＴ、液晶、有機ＥＬ等の表示素子を組み込んだ表示装置８を配設し、感圧式指紋センサー６の指紋検出部９から透かして表示装置８の表示エリア１０に映し出される内容を見ることができる。
【００１１】
操作部１８を構成する感圧式指紋センサー６の上面にはボタン１１との間にシート状の柔軟性材料１４を設置して操作部１８の密閉性を高め、感圧式指紋センサー６の下面には僅かな撓みで表示装置８の表示エリア１０に緩衝しないように隙間をつくるスペーサー７を設けて表示装置８を機械的に保護し、外装部品のボタン１１と表示装置８を固定するオサエ板１３を用いて感圧式指紋センサー６を層状に挟んで操作部が構成される。
【００１２】
感圧式指紋センサー６の指紋検出部９を構成する透明感圧シート１、透明センサー本体４のどちらか一方をダークスモーク系等の色に着色することにより、消灯時の表示素子や液晶のバックライトが消えている時に外部から表示エリア１０は見えず、点灯時に表示装置８の表示エリア１０に表示される文字や記号等の輪郭や指紋検出エリアを明瞭に表示させる効果が発揮される。
【００１３】
図３は本発明の感圧式指紋センサーの第２実施例を示す分解斜視図であり、感圧式指紋センサーをＰＤＡ、モバイルコンピュータ等の一定の大きさの表示装置に用いた時を示し、図２と同様に感圧式指紋センサー２１の上には可視エリアを考慮して中央部を抜いて枠状にしたゴムシート等の柔軟性材料２０を設けてカバー１９で挟み込み、感圧式指紋センサー２１の下にはスペーサー２２を介して表示装置２３を設け表示装置２３の下にはカバー１９と嵌合する底板２４を配設する。該感圧式指紋センサー２１の大きさを大形化し、従来一本づつ行っていた指紋の照合を一度に多数本行い照合率をより正確に行えるようにすることができ、利用目的に合わせてプログラムを専用に組み込み該感圧式指紋センサー２１の指紋検出部２５内を位置検出のタッチパネルとしても用い、高性能の情報入力端末として使用できる構成となり複数の機能を単独で形成する感圧式指紋センサーの付いた表示モジュールを提供する。
【００１４】
図４は従来の感圧式指紋センサーの実施例を示す斜視図で、感圧式指紋センサー２６は指紋検出部２７が不透明であり、表示装置２８の上に重ねて設置は出来ず、感圧式指紋センサー２６と表示装置２８を取り付けた筐体２９の一部を個々に占有することになり、装置を薄く、より小形化をはかる時に障害となっていた。
【００１５】
上記において本発明の感圧式指紋センサーを表示装置の付いた押ボタンスイッチ、表示モジュールに使用した実施例を示したが、各種機器に使用される表示装置に合わせて縦、横自由自在に組合せて、用途に応じた種々の大きさの表示装置にも積層して用いることができる。
本発明は上記実施例に限定されるものではなく、本発明の趣旨に基づき種々の変形が可能であり、それらを本発明の範囲から排除するものではない。
【００１６】
【発明の効果】
以上、詳細に説明したように、本発明によれば次のような効果を奏することができる。
（１）基板にフィルムを積層し、指を押し付けた時の圧力の強弱から指紋の紋様を検出させる指紋感知部と指紋の紋様の凹凸による圧力の違いを電位差として取り出す検出回路部からなる感圧式指紋センサーにおいて、フィルムを透明フィルムで形成するとともに基板をも透明基板とし、透明フィルムと透明基板の対向面に透明マトリックス電極を他方に透明電極層を配設して透明指紋検出部を形成したので、携帯電話をはじめノートパソコンやＰＤＡの表示画面上に積層して使用できる。
（２）フィルムを透明フィルムで形成するとともに基板をも透明基板とし、透明フィルムと透明基板の対向面に透明マトリックス電極を、他方に透明電極層を配設して透明指紋検出部を形成したので、表示画面の一部を犠牲にすることなく通常の表示範囲で使用することができ、視認性を損なうことがない。
（３）フィルムを透明フィルムで形成するとともに基板をも透明基板とし、透明フィルムと透明基板の対向面に透明マトリックス電極を、他方に透明電極層を配設して透明指紋検出部を形成したので、表示の一部を犠牲にすることがないため、機器の軽薄短小化に貢献できる感圧式指紋センサーを提供できる。
（４）　指紋検出部を構成する前記透明フィルムに色を施したので、表示画面が見易く、機器のデザインにあった指紋検出部を選択することができる。
（５）　指紋検出部を大形化して感圧式指紋センサーを位置検出するタッチパネルとして使用することもできる。
【図面の簡単な説明】
【図１】本発明の感圧式指紋センサーの第１実施例を示す部分断面図である。
【図２】本発明の感圧式指紋センサーの第１実施例を示す正面要部断面図である。
【図３】本発明の感圧式指紋センサーの第２実施例を示す分解斜視図である。
【図４】従来の感圧式指紋センサーの実施例を示す斜視図である。
【符号の説明】
１　　透明感圧シート
２　　透明感圧シート透明電極
３　　透明センサー本体透明電極
４　　透明センサー本体
５　　外側ケース
６、２１、２６　　感圧式指紋センサー
７、２２　　スペーサ
８、２３、２８　　表示装置
９、２５、２７　　指紋検出部
１０　　表示エリア
１１　　ボタン
１２、１５　　フレキシブルプリント基板
１３　　オサエ板
１４、２０　　柔軟性材料
１６　　スイッチ本体
１７　　コネクタ
１８　　操作部
１９　　カバー
２４　　底板
２９　　筐体
【図１】
2004138416.tif 000003
【図２】
2004138416.tif 000004
【図３】
2004138416.tif 000005
【図４】
2004138416.tif 000006